(57)【特許請求の範囲】
【請求項１】
トナー像及びトナー像を保持する用紙の少なくともいずれか一方を搬送する搬送部材と、
前記搬送部材を支持し、回転して前記搬送部材に駆動力を伝達する支持部材と、
除電装置本体及び導電性の材料からなる除電部材を有し、前記搬送部材に付着した紙粉を除電する除電装置と、
前記除電装置に対して前記搬送部材の移動方向における下流側に設けられ、前記搬送部材に付着したトナー及び紙粉を掻きとって除去する除去装置と、
前記搬送部材と接触し、前記搬送部材と前記除去装置本体との隙間を遮蔽する遮蔽部材と、
を有し、
前記除電部材は、切り込みが形成されていて、前記搬送部材の移動方向における前記遮蔽部材よりも上流側の位置に前記搬送部材と隙間を形成するよう離間して配置され、
前記除電装置、前記除去装置、及び前記遮蔽部材は、前記搬送部材を介して前記支持部材に対向する位置に配置されている画像形成装置。
【発明の詳細な説明】
【技術分野】
【０００１】
本発明は、画像形成装置に関する。
【背景技術】
【０００２】
原稿画像に対応した静電潜像がその表面に形成される像担持体と、像担持体の表面に形成された静電潜像にトナーを供給して静電潜像を可視化することにより、像担持体上にトナー像を形成する現像手段と、像担持体上のトナー像を、像担持体と接触する転写材へ電気的に転写する転写手段と、転写手段による転写後に像担持体上に残留するトナーを除去するクリーニング手段と、転写材から発生して像担持体に付着した紙粉を少なくとも除去する紙粉除去手段と、を具備することを特徴とする画像形成装置が知られている（特許文献１）。
【０００３】
【特許文献１】特開２００６−１８４９３０号公報
【発明の開示】
【発明が解決しようとする課題】
【０００４】
本発明は、簡単な構成で、搬送部材に付着した紙粉を除去することができる画像形成装置を提供することを目的とする。
【課題を解決するための手段】
【０００５】
請求項１に係る本発明は、トナー像及びトナー像を保持する用紙の少なくともいずれか一方を搬送する搬送部材と、前記搬送部材を支持し、回転して前記搬送部材に駆動力を伝達する支持部材と、除電装置本体及び導電性の材料からなる除電部材を有し、前記搬送部材に付着した紙粉を除電する除電装置と、前記除電装置に対して前記搬送部材の移動方向における下流側に設けられ、前記搬送部材に付着したトナー及び紙粉を掻きとって除去する除去装置と、前記搬送部材と接触し、前記搬送部材と前記除去装置本体との隙間を遮蔽する遮蔽部材と、を有し、前記除電部材は、切り込みが形成されていて、前記搬送部材の移動方向における前記遮蔽部材よりも上流側の位置に前記搬送部材と隙間を形成するよう離間して配置され、前記除電装置、前記除去装置、及び前記遮蔽部材は、前記搬送部材を介して前記支持部材に対向する位置に配置されている画像形成装置である。
【発明の効果】
【００１３】
本発明によれば、簡単な構成で、搬送部材に付着した紙粉を除去することができる画像形成装置を提供することができる。
【発明を実施するための最良の形態】
【００１４】
次に本発明の実施形態を図面に基づいて説明する。
図１には、本発明の第１実施形態に係る画像形成装置１０が示されている。画像形成装置１０は、画像形成装置本体１２を有し、画像形成装置本体１２内に、トナー像を搬送する中間転写ベルト１４と、４つの像形成部１６Ｙ、１６Ｍ、１６Ｃ、１６Ｋと、用紙供給装置１８と、４つのトナーボトル４０、４０、４０、４０と、中間転写ベルト１４に付着したトナー及び紙粉を除去する除去装置１００と、中間転写ベルト１４に付着した紙粉を除電する除電装置２００とが配置されている。また、画像形成装置本体１２内には、用紙の搬送に用いられる搬送路２８が形成されている。
【００１５】
像形成部１６Ｙ、１６Ｍ、１６Ｃ、１６Ｋは、感光体５２Ｙ、５２Ｍ、５２Ｃ、５２Ｋを、それぞれが有していて、像形成部１６Ｙはイエローのトナー像を、像形成部１６Ｍはマゼンタのトナー像を、像形成部１６Ｃはシアンのトナー像を、像形成部１６Ｋは黒のトナー像を形成し、これらのトナー像が、それぞれ中間転写ベルト１４に転写される。
【００１６】
用紙供給装置１８は、画像形成装置本体１２内の例えば、下部に設けられていて、用紙が積載される積載容器２０と、積載容器２０に積載された用紙をピックするピックアップロール２２と、ピックアップロール２２よってピックアップされた用紙を用紙搬送方向上流側に送り出すフィードロール２４と、フィードロール２４に接触するように設けられ、フィードロールから重なった状態で送り出されてきた用紙を捌き、用紙の重送を解消するために用いられるとリタードロール２６を有する。積載容器２０は、例えば図中手前方向に引き出すことができるように画像形成装置本体１２に対して着脱可能に設けられており、普通紙、ＯＨＰシート等の被転写体として用いられる用紙が収納されている。
【００１７】
搬送路２８は、画像形成装置本体１２の例えば右端部側に例えば略垂直方向に形成されている。また、搬送路２８に沿って、用紙搬送方向上流側から順に、先述のフィードロール２４及びリタードロール２６、搬送ロール２９、レジストロール３０、２次転写ロール３２、定着装置３４及び排出ロール３６が配置されている。
レジストロール３０は、搬送路２８へ送り出された用紙を一時的に停止させ、像形成部１６Ｙ等で画像形成がなされるタイミングと同期するように２次転写ロール３２へ送り出すために用いられる。定着装置３４は、加熱ロール３４ａと加圧ロール３４ｂとからなり、加熱ロール３４ａと加圧ロール３４ｂとの間を通過する用紙に熱と圧力を加えることにより用紙にトナー像を定着するようになっている。
【００１８】
画像形成装置本体１２の上部には、排出トレイ部３８が設けられている。排出トレイ部３８には、排出ロール３６によってトナー像が定着された用紙が排出される。
【００１９】
４つのトナーボトル４０、４０、４０、４０は、画像形成装置本体１２内の、例えば排出トレイ部３８の下方に配置されていて、これらのトナーボトル４０には、イエロー、マゼンタ、シアン、黒の各トナーが収納され、図示しないトナー供給路を介して像形成部１６Ｙ、１６Ｍ、１６Ｃ、１６Ｋに、それぞれイエローのトナー、マゼンタのトナー、シアンのトナー、黒のトナーを供給するようになっている。
【００２０】
像形成部１６Ｙ、１６Ｍ、１６Ｃ、１６Ｋは、それぞれが、中間転写ベルト１４の一方の面側に配置された画像形成ユニット４８Ｙ、４８Ｍ、４８Ｃ、４８Ｋと、中間転写ベルト１４の他方の面側に配置された１次転写ロール５０Ｙ、５０Ｍ、５０Ｃ、５０Ｋとを有する。画像形成ユニット４８Ｙ、４８Ｍ、４８Ｃ、４８Ｋは、画像形成装置本体１２に対して、それぞれ着脱可能であり、例えば、一度下方に移動させた後、図１中における手前方向に引き出すことができるようになっている。像形成部１６Ｙ、１６Ｍ、１６Ｃ、１６Ｋの詳細は後述する。
【００２１】
中間転写ベルト１４は、それぞれが支持部材として用いられる支持ロール４２ａ、４２ｂ、４２ｃ、４２ｄに支持され、像形成部１６が配置されている部分が、例えば略平行な平面となるように配置されている。
支持ロール４２ａは、中間転写ベルト１４に駆動を伝達する駆動部材として用いられていて、図示を省略する例えばモータ等の駆動源を有する図示を省略する駆動伝達機構からの駆動伝達を受けて図１中に矢印で示す方向に回転し、中間転写ベルト１４に駆動を伝達して、中間転写ベルト１４を図１に示す矢印方向に回転するように移動させる。また、支持ロール４２ａは、２次転写ロール３２をバックアップするバックアップロールとして用いられている。
【００２２】
中間転写ベルト１４、支持ロール４２ａ、４２ｂ、４２ｃ、４２ｄ、及び１次転写ロール５０、５０、５０、５０を、転写ユニットとして一体化して、この転写ユニットを画像形成装置本体１２から着脱可能としても良い。２次転写ロール３２は２次転写ユニット３３に組み込まれている。２次転写ユニット３３は、画像形成装置本体１２に対して着脱可能であり、例えば図１における手前方向に引き出すことができるようになっている。
【００２３】
図２には、像形成部１６の詳細が示されている。像形成部１６Ｙ、１６Ｍ、１６Ｃ、１６Ｋは、用いるトナーの色が異なるものの、同じ構成であるため、以下、像形成部１６として説明する。
像形成部１６は、画像形成ユニット４８を有し、画像形成ユニット４８内に、先述の感光体５２と、感光体５２を帯電させる、例えば帯電ロールを有する帯電装置５４と、例えばＬＥＤ（ｌｉｇｈｔ  ｅｍｉｔｔｉｎｇ   ｄｉｏｄｅ：発光ダイオード）から構成され、感光体５２表面に潜像を形成する露光装置５６と、露光装置５６により形成された感光体５２表面の潜像をトナーにより現像する現像装置５８と、トナー像の転写がなされた後に、転写後に感光体５２表面に残留したトナーを清掃する清掃装置６０とが装着されている。
この実施形態においては、画像形成ユニット４８は、分離可能な感光体ユニット６２と現像ユニット６４とが結合されて構成されている。感光体ユニット６２は、第１の筐体６６に感光体５２、帯電装置５４、露光装置５６及び清掃装置６０が収納されている。現像ユニット６４は、第２の筐体６８に現像装置５８が収納されている。そして、第１の筐体６６と第２の筐体６８とが分離可能に結合されて画像形成ユニット４８が構成されている。
【００２４】
現像装置５８は、例えば２成分方式であり、トナーとキャリアからなる現像剤が用いられ、例えば水平方向に平行に配置された２本のオーガ７０、７２と、排出側オーガ７２の斜め上部に配置された現像ロール７４と有し、現像剤をオーガ７０、７２により攪拌して現像ロール７４に供給する。現像ロール７４では、キャリアによる磁気ブラシが形成され、この磁気ブラシによりキャリアに付着したトナーを搬送し、感光体５２上の潜像をトナーにより現像する。この実施形態のように、２成分方式の現像装置５８にあって、オーガ７０、７２より上方に現像ロール７４が配置されているので、現像剤がたまるのを防止し、現像剤を均一に攪拌することができ、現像性能を維持することができる。
【００２５】
清掃装置６０は、例えばブレードからなるトナー掻き落とし部７６と、このトナー掻き落とし部７６で掻き落とされたトナーを回収する回収部７８とから構成されている。
【００２６】
以上のように構成された画像形成装置１０では、中間転写ベルト１４と感光体５２とが同期して回転し、帯電装置５４により感光体５２の表面が帯電され、露光装置５６により潜像が形成される。この露光装置５６により形成された感光体５２上の潜像は現像装置５８により現像される。この現像装置５８により現像されたトナー像は１次転写ロール５０により中間転写ベルト１４に転写される。各像形成部１６で形成された各色のトナー像は中間転写ベルト１４が移動するのに伴って重ねられる。
【００２７】
一方、用紙供給装置１８の積載容器２０に積載された用紙は、ピックアップロール２２、フィードロール２４、リタードロール２６により一枚ずつ搬送路２８へ送り出される。この搬送路２８に送り出された用紙はレジストロール３０に接触し、一時停止し、タイミングをとって２次転写ロール３２へ送られる。そして、２次転写ロール３２により中間転写ベルト１４のトナー像が用紙に転写される。トナー像が転写された用紙はさらに定着装置３４に送られ、熱と圧力により用紙にトナー像が定着される。この定着装置３４によりトナー像が定着された用紙は、排出ロール３６により排出トレイ部３８に排出される。
【００２８】
以上ように画像形成がなされる際に、２次転写ロール３２によって用紙へのトナー像の転写がなされた後の中間転写ベルト１４の表面にはトナーが残留しており、また、中間転写ベルト１４の表面には、用紙から離脱した紙粉が付着している。中間転写ベルト１４に付着した紙粉は除電装置２００によって除電され、中間転写ベルト１４の表面に付着した紙粉、及びトナーは除去装置１００によって除去される。ここで、紙粉とは、用紙から離脱した用紙の繊維や、該繊維が固まった状態となったもの等、用紙から離脱した物質をいう。
【００２９】
図３には、除去装置１００と、除電装置２００とが示されている。
除去装置１００は、中間転写ベルト１４に付着したトナー及び紙粉を除去するために用いられ、除去装置本体１０２を有し、除去装置本体１０２内に除去された現像剤を支持ロール４２ｂの軸方向に搬送する搬送部材１０４が設けられている。また、除去装置本体１０２には、支持部材１０６を介して、除去部材として用いられるブレード１０８の下端部側が装着されている。ブレード１０８の上端部側は、支持ロール４２ｂにバックアップされるようにして中間転写ベルト１４に接触している。ブレード１０８は、可撓性を有し弾性を有する例えばゴム等の材料からなり、例えば、上端部側がしなるような状態で中間転写ベルト１４に接触している。
【００３０】
除電装置２００は、中間転写ベルト１４に付着した紙粉を除電するために用いられ、中間転写ベルト１４を介して支持ロール４２ｂと対向する位置に配置されていて、フィルム部材２０２を有する。
フィルム部材２０２は、中間転写ベルト１４に付着した紙粉の除電に用いられる除電部材として用いられていて、中間転写ベルト１４に接触するように配置されていて、導電性の材料からなる。また、フィルム部材２０２は、上端部側が、除去装置本体１０２に装着されていて、下端部側が、支持ロール４２ｂにバックアップされるようにして、中間転写ベルト１４に押しつけられるように接触している。このため、フィルム部材２０２は、下端部側がしなるような状態で、中間転写ベルト１４に接触する。
【００３１】
また、フィルム部材２０２は、例えば、カーボン粒子が混入されたＰＥＴ（ポリエチレン テレフタレート）のフィルムからなり、導電性を有し、可撓性を有し、弾性を有する。フィルム部材２０２の、導電率は、混入するカーボン粒子の量を調整する等の方法で調整され、フィルム部材２０２の導電率は、１０１Ω・ｃｍ〜１０５Ω・ｃｍの範囲にあれば良く、１０１Ω・ｃｍ〜１０３Ω・ｃｍの範囲であることがさらに望ましい。
【００３２】
また、フィルム部材２０２は、接地線２１０を用いて接地されている。フィルム部材２０２は、接地されることに替えて、電気的にフロートの状態とされても良い。
【００３３】
また、フィルム部材２０２は、除去装置１００によって除去されたトナーの飛散を抑制する抑制部材として兼用されている。すなわち、フィルム部材２０２の下端部が中間転写ベルト１４に接触することによって、除去装置本体１０２内と除去装置本体１０２外とが遮断された状態となっている。このため、ブレード１０８によって中間転写ベルト１４の表面から除去された現像剤が、除去装置本体１０２外へと飛散することが抑制される。
【００３４】
図４には、フィルム部材２０２が示されている。
フィルム部材２０２は、図４（ａ）に示されるように略長方形のものを用いても良いし、図４（ｂ）に示すように、例えば、中間転写ベルト１４側であって、中間転写ベルト１４に接する部分に、例えば複数の切り込み２０４が形成されたものを用いても良い。切り込み２０４は、フィルム部材２０２、及び支持ロール４２ｂ（図３参照）の長手方向に対して、例えば略垂直に形成されている。切り込み２０４が形成されたフィルム部材２０２は、切り込込みが形成されていないフィルム部材２０２と比較して放電効果が高い。また、形成する切り込込み２０４の長さ、方向、数等を調整することによって、フィルム部材２０２が中間転写ベルト１４に接触する圧力を設定することが可能である。
【００３５】
図５には、比較例に係る画像形成装置の支持ロール４２ｂ近傍の構成が示されている。
前述の第１の実施形態に係る画像形成装置１０には、支持ロール４２ｂ近傍に、除去装置１００と除電装置２００とが取り付けられていたのに対して、この比較例に係る画像形成装置は、除去装置１００を有しているものの、除電装置２００を有していない。すなわち、先述の第１の実施形態では、除去装置本体１０２に、カーボン粒子が混入されたフィルム部材２０２が取り付けられていたのに対して、この比較例においては、カーボン粒子が混入されていないフィルム部材８０が取り付けられている。このため、フィルム部材８０は導電性を有しない。
フィルム部材８０は、除去装置本体１０２内と除去装置１００外とを遮断し、トナーの飛散を抑制するために設けられている。
【００３６】
また、先述の第１の実施形態では、フィルム部材２０２は接地線２１０を用いて接地されていたのに対して、フィルム部材８０は接地がなされていない。
【００３７】
図６には、中間転写ベルト１４からトナー等が除去される様子が示されている。
本発明の第１の実施形態に係る画像形成装置１０では、図６（ａ）に示されるように、ブレード１０８に掻き落とされるようにして、トナーＴが中間転写ベルト１４の表面から除去され、除去されたトナーＴが、落下するようにして除去装置本体１０２内に堆積する。また、本発明の第１の実施形態に係る画像形成装置１０においては、図６（ｂ）に示されるように、トナーＴと同様に、中間転写ベルト１４の表面に付着した紙粉Ｐが、ブレード１０８に掻き落とされるようにして中間転写ベルト１４の表面から除去され、除去された紙粉Ｐが落下するようにして除去装置本体１０２内に堆積する。
【００３８】
紙粉Ｐの大きさは、一般にトナーＴの大きさよりも大きいことが多いものの、繊維からなるため、先端部がとがった形状をしていることが多く、一般に、中間転写ベルト１４とブレード１０８との接触部Ｎに突き刺さりやすい。また、紙粉Ｐが帯電している場合、紙粉Ｐと中間転写ベルト１４とが静電的に付着した状態となるため、ブレード１０８による除去が良好になされず、除去がなされなった紙粉Ｐが中間転写ベルト１４とブレード１０８との接触部Ｎに堆積した状態となることある。接触部Ｎに紙粉がたまると、中間転写ベルト１４とブレード１０８との間に離間した領域が生じやすく、この離間した領域からトナーＴがすり抜けやすくなるため、中間転写ベルト１４からのトナーＴの除去に不良が生じやすくなる。
尚、紙粉の帯電は、低温；低湿度の環境で生じやすく、このため低温・低湿度との環境で、紙粉が静電的に中間転写ベルトに付着することを原因する不良が生じやすい。
【００３９】
本発明の第１の実施形態においては、除電装置２００で紙粉Ｐを除電し、中間転写ベルト１４と紙粉Ｐとの静電的な付着力を弱めた後、除電装置２００よりも中間転写ベルト１４の移動方向において下流側に位置する除去装置１００を用いて紙粉Ｐを除去している。このため、中間転写ベルト１４からの紙粉Ｐの除去不良が生じにくい。
【００４０】
比較例に係る画像形成装置では、中間転写ベルト１４に付着した紙粉Ｐは除電されない。このため、紙粉Ｐは中間転写ベルト１４に静電的に強く付着した状態で接触部Ｎへと突入することが多く、この場合、図６（ｃ）に示されるように紙粉Ｐが接触部Ｎに滞留しやすい。
【００４１】
また、本実施形態の構成に替えて、ブレード１０８の中間転写ベルト１４の移動方向における上流側に、バイアスが印加された回転可能なロール状のブラシ部材を設け、このブラシ部材によって中間転写ベルト１４の表面から紙粉を除去する構成を採用することも考えられる。しかしながら、該ブラシ部材を設けた場合、ブラシから、紙粉や、印加されるバイアスによってブラシに紙粉と回収されたトナーを除去するフリッカー部材や、ブラシを回転駆動させるための機構等が必要になり、構成が複雑になってしまう。ここで、フリッカー部材とは、回転するブラシに食い込むように配置され、ブラシに付着した付着物を除去するための部材をいう。
【００４２】
図７には、本発明の第２の実施形態に係る画像形成装置１０が有する除電装置２００が示されている。
先述の第１の実施形態においては、フィルム部材２０２が、中間転写ベルト１４に接触するように設けられていた。これに対して、この第２の実施形態においては、フィルム部材２０２は、中間転写ベルト１４との間に隙間Ｇを形成するように配置されている。隙間Ｇは、例えば、０．５ｍｍ〜２ｍｍの範囲に定められる。
【００４３】
また、先述の第１の実施形態では、フィルム部材２０２が、除去装置１００によって除去されたトナーの飛散を抑制する飛散抑制部材として兼用されていた。これに対して、この第２の実施形態では、フィルム部材２０２が中間転写ベルト１４から離間しているため、フィルム部材２０２とは別に、フィルム部材８０を設け、フィルム部材８０で除去装置本体１０２内と除去装置１００外とが遮断している。
【００４４】
この第２の実施形態においては、フィルム部材２０２が中間転写ベルト１４から離間しているため、中間転写ベルト１４の表面に付着した紙粉の除電は可能であるものの、フィルム部材２０２の表面に付着するトナーの量が、先述の第１の実施形態のようにフィルム部材２０２を中間転写ベルト１４に接触させた場合と比較して少なくなり、トナーが付着することによるフィルム部材２０２の劣化が生じにくい。
【００４５】
また、第１の実施形態、及び第２の実施形態においては、除電部材としてフィルム部材２０２を用いたが、中間転写ベルト１４に静電的に付着した紙粉Ｐを除電することができるものであれば、第１の実施形態、及び第２の実施形態において、除電部材として、フィルム部材２０２以外の構成を採用しても良い。
例えば、除電部材としては、除電布を用いることができる。ここで、除電布とは、例えば、極細繊維（不織布）の表面に、除電に有効な導電ポリマーを反応形成した布状の部材等をいう。除電布の導電率は、１０１Ω・ｃｍ〜１０５Ω・ｃｍの範囲にあれば良く、１０１Ω・ｃｍ〜１０３Ω・ｃｍの範囲であることがさらに望ましい。
【００４６】
また、第１の実施形態、及び第２の実施形態においては、除電装置２００は、中間転写ベルト１４を介して支持ロール４２ｂに対向する位置に設置されているが、必ずしもこの位置に設ける必要はなく、中間転写ベルト１４の移動方向において、２次転写ロール３２が接触する位置よりも下流側であって、４個の画像形成ユニット４８Ｙ、４８Ｍ、４８Ｃ、４８Ｋのうち、中間転写ベルト１４の移動方向において最も上流側に位置する画像形成ユニット４８Ｋよりも、中間転写ベルト１４の移動方向における上流側の任意の位置に配置することができる。この際、第１の実施形態、及び第２の実施形態のように、除電装置２００を、中間転写ベルト１４を介して、中間転写ベルト１４を支持する支持部材に対向する位置に配置すれば、第１の実施形態においては、中間転写ベルト１４とフィルム部材２０２とが接触する幅を一定に保ちやすく、また、第２の実施形態においては、中間転写ベルト１４とフィルム部材２０２との隙間Ｇを一定に保ちやすい。
【００４７】
また、除電装置２００を、中間転写ベルト１４を介して中間転写ベルト１４を支持する支持部材と対向する位置に配置する場合、支持部材として、必ずしも支持ロール４２ｂを用いる必要はなく、支持部材として、例えば支持ロール４２ｃを用いても良い。また、中間転写ベルト１４を内側から支持する支持板（不図示）等を設け、この支持板に中間転写ベルト１４を介して対向するように除電装置２００を設けても良い。
【００４８】
以上で説明をした実施形態では、画像形成装置１０は、感光体５２Ｙ、５２Ｍ、５２Ｃ、５２Ｋとの像保持体として用いられる感光体を複数有し、中間転写ベルト１４は、感光体５２Ｙ、５２Ｍ、５２Ｃ、５２Ｋのぞれぞれからトナー像の転写がなされたが、画像形成装置１０を、単数の感光体と、この単数の感光体から複数色のトナー像が順に転写される中間転写ベルトとを有するように構成しても良い。
【００４９】
また、以上で説明した実施形態においては、搬送部材として、ベルト形状の中間転写ベルト１４が用いたが、感光体５２から転写されたトナー像を搬送することが可能な、例えばドラム形状の中間転写体等のベルト形状以外の転写体を搬送部材として用いても良い。
【００５０】
また、以上で説明をした実施形態においては、搬送部材として、感光体５２から転写されたトナー像を搬送する中間転写ベルト１４が用いられたが、これに替えて、感光体５２からトナー像が転写された用紙を搬送する、例えば用紙搬送ベルトを搬送部材として用いても良い。
【産業上の利用可能性】
【００５１】
以上述べたように、本発明は、複写機、プリンタ、ファクシミリ装置等の画像形成装置に適用することができる。
【図面の簡単な説明】
【００５２】
【図１】本発明の第１の実施形態に係る画像形成装置の概略構成を示す正面図である。
【図２】本発明の第１の実施形態に係る画像形成装置が有する像形成部の構成を示す正面図である。
【図３】本発明の第１の実施形態に係る画像形成装置が有する除去装置と、除電装置とを拡大して示す正面図である。
【図４】図４（ａ）は、本発明の第１の実施形態に係る画像形成装置が有する除電部材を示す左側面図であり、図４（ｂ）は本発明の第１の実施形態が有する除電部材の変形例を示す左側面図である。
【図５】比較例に係る画像形成装置が有する除去装置を拡大して示す断面図である。
【図６】搬送部材からトナー等が除去される様子を示し、図６（ａ）は本発明の第１の実施形態に係る画像形成装置が有するブレードがトナーを除去する様子を示す模式図であり、図６（ｂ）は本発明の第１の実施形態に係る画像形成装置が有するブレードが紙粉を除去する様子を示す模式図であり、図６（ｃ）は比較例に係る画像形成装置で紙粉の除去不良が生じた状態を示す模式図である。
【図７】本発明の第２の実施形態に係る画像形成装置が有する除去装置と、除電装置とを拡大して示す正面図である。
【符号の説明】
【００５３】
１０      画像形成装置
１４      中間転写ベルト
１６      像形成部
４２ａ    支持ロール
１００    除去装置
１０８    ブレード
２００    除電装置
２０２    フィルム部材
２１０    接地線
Ｐ        紙粉
Ｔ        トナー
【図１】
0005019266.tif 000002
【図２】
0005019266.tif 000003
【図３】
0005019266.tif 000004
【図４】
0005019266.tif 000005
【図５】
0005019266.tif 000006
【図６】
0005019266.tif 000007
【図７】
0005019266.tif 000008